(57)【特許請求の範囲】
【請求項１】
非金属系触媒の存在下において、バイオマスを１００〜２５０℃の範囲内の温度、及び０．１〜４ＭＰａの範囲内の圧力の条件下で熱水処理する前処理装置と、
前記前処理装置において熱水処理することにより得られた、前記非金属系触媒を含む前記バイオマスのスラリー体を、３７４℃以上の温度、及び２２．１ＭＰａ以上の圧力の条件下で水熱処理する反応器と、
前記前処理装置から前記スラリー体を受け入れ、前記スラリー体を前記反応器に供給するスラリー供給装置と、
前記前処理装置と前記スラリー供給装置との間に配置され、前記スラリー供給装置に受け入れられる前記スラリー体を蓄圧する第１の蓄圧器と、
前記スラリー供給装置と前記反応器との間に配置され、前記スラリー供給装置から供給される前記スラリー体を蓄圧する第２の蓄圧器と、
を備え、
前記スラリー供給装置は、
水を注入する注入口と、注入した前記水を排出する排出口と、前記前処理装置から前記スラリー体を受け入れる受入口と、受け入れた前記スラリー体を前記反応器に供給する供給口と、を備える２つのシリンダーと、
各シリンダー内の前記水と前記スラリー体とを仕切るように配置されたピストンと、
各ピストンを両端に備える軸と、
各シリンダー内の前記スラリー体を攪拌する攪拌機と、
第１の前記シリンダーに前記前処理装置から前記スラリー体を受け入れるとともに、前記前処理装置から第２の前記シリンダーに受け入れた前記スラリー体を前記反応器に供給するように、前記第２のシリンダーに前記水を注入する第１の工程と、前記第１のシリンダーに受け入れた前記スラリー体を前記反応器に供給するとともに、前記第２のシリンダーに前記前処理装置から前記スラリー体を受け入れるように、前記第１のシリンダーに前記水を注入する第２の工程とを、交互に切り替えて行う水注入装置と、
を備えることを特徴とする超臨界水によるバイオマスガス化システム。
【請求項２】
前記軸は、前記ピストンと前記攪拌機との接触を防止する接触防止手段をさらに備えることを特徴とする請求項１に記載のシステム。
【請求項３】
前記水注入装置は、各シリンダーに対して一定流量で水を注入することを特徴とする請求項１又は２に記載のシステム。
【請求項４】
前記反応器は、
前記反応器内に前記スラリー体を下方から導入する導入口と、
前記反応器において水熱処理することにより生成された生成ガス及び灰分、並びに、前記非金属系触媒及び水を上方から前記反応器外に排出する排出口と、
前記スラリー体の導入により前記反応器内に流動層を形成する流動媒体と、
前記導入口から導入した前記スラリー体を、前記流動層の下方で分散させる分散部と、
を備え、
前記流動媒体は、前記スラリー体の導入速度では排出されない形状で構成されていることを特徴とする請求項１〜３のいずれかに記載のシステム。
【請求項５】
前記反応器から排出された、前記生成ガス、前記灰分、前記非金属系触媒、及び前記水を、前記生成ガスと、前記灰分、前記非金属系触媒、及び水を含む混合液とに分離する気液分離装置をさらに備えることを特徴とする請求項４に記載のシステム。
【請求項６】
前記混合液中の前記非金属系触媒を回収する手段をさらに備えることを特徴とする請求項５に記載のシステム。
【請求項７】
前記流動媒体が、アルミナボールであることを特徴とする請求項４〜６のいずれかに記載のシステム。
【請求項８】
前記分散部を、アルミナボールを積み重ねることにより形成することを特徴とする請求項４〜７のいずれかに記載のシステム。
【請求項９】
前記反応器において水熱処理することにより生成された生成ガスの一部を利用して前記反応器を加熱する加熱装置をさらに備えることを特徴とする請求項１〜８のいずれかに記載のシステム。
【請求項１０】
前記前処理装置で熱水処理する前記バイオマスをあらかじめ破砕する破砕機をさらに備えることを特徴とする請求項１〜９のいずれかに記載のシステム。
【請求項１１】
前記反応器において水熱処理することにより生成された生成ガスの熱を利用して、前記スラリー供給装置から前記反応器に供給される前記スラリー体を予熱する熱交換器をさらに備えることを特徴とする請求項１〜１０のいずれかに記載のシステム。
【請求項１２】
前記前処理装置において熱水処理される前記バイオマスを前記前処理装置に供給する手段と、
前記前処理装置から前記スラリー供給装置に受け入れられる前記スラリー体の熱を利用して、前記前処理装置に供給される前記バイオマスを予熱する熱交換器と、
をさらに備えることを特徴とする請求項１〜１０のいずれかに記載のシステム。
【請求項１３】
前記前処理装置において熱水処理される前記バイオマスを前記前処理装置に供給する手段と、
前記反応器において水熱処理することにより生成された生成ガスの熱を利用して、前記前処理装置に供給される前記バイオマスを予熱する熱交換器と、
をさらに備えることを特徴とする請求項１〜１０のいずれかに記載のシステム。
【請求項１４】
前記前処理装置での熱水処理を、所定の圧力及び当該圧力における水の飽和温度の条件下で行うことを特徴とする請求項１〜１３のいずれかに記載のシステム。
【請求項１５】
前記非金属系触媒が、活性炭であることを特徴とする請求項１〜１４のいずれかに記載のシステム。
【請求項１６】
前記活性炭が、平均粒径２００μｍ以下の粉末であることを特徴とする請求項１５に記載のシステム。
【請求項１７】
前記反応器での水熱処理を、６００℃の温度、及び２５ＭＰａの圧力の条件下で行うことを特徴とする請求項１〜１６のいずれかに記載のシステム。
【発明の詳細な説明】
【技術分野】
【０００１】
本発明は、超臨界水によりバイオマスをガス化するシステムに関する。
【背景技術】
【０００２】
近年、植物又はその廃材、家畜排泄物、生ゴミ、食品廃棄物、下水汚泥などのバイオマスを原料としたエネルギー変換技術の開発がなされている。バイオマスを原料としたエネルギー変換技術としては、例えば、微生物によりバイオマスを発酵させて燃料ガスを生成する方法、バイオマスに含まれる水を利用して加圧熱水処理を行い、燃料ガスを生成する方法などが知られており、後者の改良方法としては、触媒を用いてウェット・バイオマス（含水性バイオマス）を超臨界水でガス化し、水素やメタン等の燃料ガスを生成する方法が知られている（例えば、特許文献１〜３参照）。
【特許文献１】特表平１１−５０２８９１号公報
【特許文献２】特開２００２−１０５４６６号公報
【特許文献３】特開２００２−１０５４６７号公報
【発明の開示】
【発明が解決しようとする課題】
【０００３】
しかしながら、これまでに知られている超臨界水ガス化技術は、燃料ガスの生成効率の面で必ずしも満足できるものではなく、バイオマスから燃料ガスをより効率的に生成することができる技術の開発が求められている。
【０００４】
そこで、本発明は、バイオマスからメタンや水素などの燃料ガスをより効率的に生成することが可能な超臨界水ガス化技術を提供することを目的とする。
【課題を解決するための手段】
【０００５】
上記課題を解決するために、本発明に係る、超臨界水によるバイオマスガス化システムは、非金属系触媒の存在下において、バイオマスを１００〜２５０℃の範囲内の温度、及び０．１〜４ＭＰａの範囲内の圧力の条件下で熱水処理する前処理装置と、前記前処理装置において熱水処理することにより得られた、前記非金属系触媒を含む前記バイオマスのスラリー体を、３７４℃以上の温度、及び２２．１ＭＰａ以上の圧力の条件下で水熱処理する反応器と、前記前処理装置から前記スラリー体を受け入れ、前記スラリー体を前記反応器に供給するスラリー供給装置と、前記前処理装置と前記スラリー供給装置との間に配置され、前記スラリー供給装置に受け入れられる前記スラリー体を蓄圧する第１の蓄圧器と、前記スラリー供給装置と前記反応器との間に配置され、前記スラリー供給装置から供給される前記スラリー体を蓄圧する第２の蓄圧器と、を備え、前記スラリー供給装置は、水を注入する注入口と、注入した前記水を排出する排出口と、前記前処理装置から前記スラリー体を受け入れる受入口と、受け入れた前記スラリー体を前記反応器に供給する供給口と、を備える２つのシリンダーと、各シリンダー内の前記水と前記スラリー体とを仕切るように配置されたピストンと、各ピストンを両端に備える軸と、各シリンダー内の前記スラリー体を攪拌する攪拌機と、第１の前記シリンダーに前記前処理装置から前記スラリー体を受け入れるとともに、前記前処理装置から第２の前記シリンダーに受け入れた前記スラリー体を前記反応器に供給するように、前記第２のシリンダーに前記水を注入する第１の工程と、前記第１のシリンダーに受け入れた前記スラリー体を前記反応器に供給するとともに、前記第２のシリンダーに前記前処理装置から前記スラリー体を受け入れるように、前記第１のシリンダーに前記水を注入する第２の工程とを、交互に切り替えて行う水注入装置と、を備える。
【０００６】
前記軸は、前記ピストンと前記攪拌機との接触を防止する接触防止手段をさらに備えることとしてもよい。また、前記水注入装置は、各シリンダーに対して一定流量で液体を注入することとしてもよい。
【０００７】
前記反応器は、前記反応器内に前記スラリー体を下方から導入する導入口と、前記反応器において水熱処理することにより生成された生成ガス及び灰分、並びに、前記非金属系触媒及び水を上方から前記反応器外に排出する排出口と、前記スラリー体の導入により前記反応器内に流動層を形成する流動媒体と、前記導入口から導入した前記スラリー体を、前記流動層の下方で分散させる分散部と、を備え、前記流動媒体は、前記スラリー体の導入速度では排出されない形状で構成されていることとしてもよい。
【０００８】
本発明に係るシステムは、前記反応器から排出された、前記生成ガス、前記灰分、前記非金属系触媒、及び前記水を、前記生成ガスと、前記灰分、前記非金属系触媒、及び水を含む混合液とに分離する気液分離装置をさらに備えることとしてもよい。また、本発明に係るシステムは、前記混合液中の前記非金属系触媒を回収する手段をさらに備えることとしてもよい。
【０００９】
さらに、本発明に係るシステムは、前記反応器において水熱処理することにより生成された生成ガスの一部を利用して前記反応器を加熱する加熱装置をさらに備えることとしてもよい。また、本発明に係るシステムは、前記前処理装置で熱水処理する前記バイオマスをあらかじめ破砕する破砕機をさらに備えることとしてもよい。
【００１０】
本発明に係るシステムは、前記反応器において水熱処理することにより生成された生成ガスの熱を利用して、前記スラリー供給装置から前記反応器に供給される前記スラリー体を予熱する熱交換器をさらに備えることとしてもよい。また、本発明に係るシステムは、前記前処理装置において熱水処理される前記バイオマスを前記前処理装置に供給する手段と、前記前処理装置から前記スラリー供給装置に受け入れられる前記スラリー体の熱を利用して、前記前処理装置に供給される前記バイオマスを予熱する熱交換器と、をさらに備えることとしてもよい。さらに、本発明に係るシステムは、前記前処理装置において熱水処理される前記バイオマスを前記前処理装置に供給する手段と、前記反応器において水熱処理することにより生成された生成ガスの熱を利用して、前記前処理装置に供給される前記バイオマスを予熱する熱交換器と、をさらに備えることとしてもよい。
【００１１】
なお、前記前処理装置での熱水処理は、所定の圧力及び当該圧力における水の飽和温度の条件下で行うことが好ましく、前記反応器での水熱処理は、６００℃の温度、及び２５ＭＰａの圧力の条件下で行うことが好ましい。
【００１２】
前記流動媒体は、例えば、アルミナボールなどである。前記分散部は、例えば、アルミナボールを積み重ねることによって形成した層などである。前記非金属系触媒としては、例えば、活性炭などを用いることができる。前記活性炭は、粉末状であって、その平均粒径が２００μｍ以下であるものを用いることが好ましい。
【発明の効果】
【００１３】
本発明によれば、バイオマスからメタンや水素などの燃料ガスをより効率的に生成することが可能な超臨界水ガス化技術を提供することができる。
【発明を実施するための最良の形態】
【００１４】
以下、本発明の好ましい実施の形態を、図面を用いて詳細に説明する。
【００１５】
＝＝本発明の超臨界水によるバイオマスガス化システムの全体構成＝＝
図１は、本発明の一実施形態として説明する超臨界水によるバイオマスガス化システムの概略構成を示す図である。図１に示すように、本発明に係る超臨界水によるバイオマスガス化システム（以下、単に「システム」と称する。）１００は、破砕ポンプ１０、水タンク１１、モーノポンプ２０、第一熱交換器３０、第二熱交換器３１、前処理装置４０、スラリー供給装置５０、反応器６０、クーラー７０、減圧器７１、気液分離器８０、ガスタンク８１、固液分離器８２、バーナー９０などを備える。
【００１６】
前処理装置４０は、バイオマスのスラリー体を形成させる装置である。このバイオマスのスラリー体の形成は、非金属系触媒の存在下において、バイオマスを１００〜２５０℃の範囲内の温度、及び０．１〜４ＭＰａの範囲内の圧力の条件下で熱水処理することにより行われる。
【００１７】
モーノポンプ２０は、所定の含水率に調製された、非金属系触媒、バイオマス、及び水を含む混合液を前処理装置４０に移送する装置である。
【００１８】
破砕ポンプ１０は、前処理装置４０で熱水処理されるバイオマスをあらかじめ均一な大きさ（好ましくは平均粒径が５００μｍ以下、より好ましくは平均粒径が３００μｍ以下）に破砕しながら、モーノポンプ２０へ移送する装置である。破砕ポンプ１０によって破砕されたバイオマスは、非金属系触媒とともにモーノポンプ２０に移送される。
【００１９】
水タンク１１は、破砕ポンプ１０によって破砕されたバイオマスと非金属系触媒との混合物に混合させる水を貯水する容器である。この水タンク１１から水が供給されて、破砕ポンプ１０によって破砕されたバイオマスと非金属系触媒との混合物と混合することにより、所定の含水率に調製された混合液が作製される。
【００２０】
反応器６０は、超臨界水によりバイオマスをガス化する装置である。この超臨界水によるバイオマスのガス化は、前処理装置４０において熱水処理された、非金属系触媒を含むバイオマスのスラリー体を、前記非金属系触媒を利用して、３７４℃以上の温度、及び２２．１ＭＰａ以上の圧力の条件下で水熱処理することにより行われる。このようにスラリー体を超臨界水により処理することにより、バイオマスが分解して水素ガス、メタン、エタン、エチレン等の燃料ガスが生成される。反応器６０は、上述の条件下で非金属系触媒を含むバイオマスのスラリー体を水熱処理することができる装置であれば特に制限されるものではないが、図２に示すような連続運転が可能な装置を用いることが好ましい。
【００２１】
図２は本発明の一実施形態として説明する反応器６０の概略構成を示す図である。図２に示すような反応器６０は、装置６０内に非金属系触媒を含むバイオマスのスラリー体を下方から導入する導入口２１０と、装置６０内で前記スラリー体を、３７４℃以上の温度、及び２２．１ＭＰａ以上の圧力の条件下で水熱処理することにより生成された燃料ガスを含む生成ガス及び灰分、並びに、非金属系触媒及び水（超臨界水）を上方から装置６０外に排出する排出口２２０と、スラリー体の導入により装置６０内に流動層を形成する流動媒体２３０と、導入口２１０から導入したスラリー体を流動層の下方で分散させる分散部２４０と、を備えている。
【００２２】
前記流動媒体２３０は、スラリー体の導入速度では排出されない形状、例えば、導入口２１０からスラリー体を導入する速度では流動層を形成するが、排出口２２０から排出できない重さや、排出口２２０にメッシュ状のプレートが設置されている場合には、当該プレートの網目より大きさなどで構成されている。前記流動媒体２３０としては、超臨界状態でも粒径が壊れにくい媒体であれば特に制限されるものではないが、例えば、アルミナボール、ジルコニアボール、シリカボールなどの媒体を挙げることができる。
【００２３】
分散部２４０としては、例えば、流動層反応器などで用いられる既知の分散板であってもよいが、スラリー体の目詰まりにより圧力が増加するのを防ぐために、スラリー体を導入する速度では流動しない形状で構成された球状媒体（例えば、アルミナボールなどの球状媒体）を積み重ねることにより形成した層であることが好ましい。
【００２４】
以上のような反応器６０を用いることにより、導入口２１０から導入したスラリー体を、それに含まれる非金属系触媒を利用して超臨界水によるガス化を行い、これにより生成された生成ガス（燃料ガスを含む）及び灰分、並びに、非金属系触媒及び水（超臨界水）などの流動媒体２３０より軽く、径が小さな物質を排出口２２０から排出することができるようになる。また、このような反応器６０は、上述のような構成により、反応器内６０に灰分や非金属系触媒などが堆積するのを抑制することができるようになり、非金属系触媒を含むバイオマスのスラリー体を連続的に超臨界水によりガス化する処理を行うことが可能となる。
【００２５】
スラリー供給装置５０は、前処理装置４０において熱水処理を行うことにより得られた、非金属系触媒を含むバイオマスのスラリー体を前処理装置４０から受け入れ、反応器６０に供給する装置である。図３に本発明の一実施形態として説明するスラリー供給装置５０の概略構成図を示す。図３に示すように、スラリー供給装置５０は、２つのシリンダー３１０，３２０、軸３３０、２つのピストン３３１，３３２、２つの攪拌機３４０，３５０、水注入装置３６０、バルブ３６１，３６２，３６３，３６４，３７３，３７４，３７５，３７６、三方弁３７１，３７２、蓄圧器３８０，３８１などを備える。
【００２６】
水注入装置３６０は、シリンダー３１０とシリンダー３２０とを交互に切り替えて各シリンダー３１０，３２０に水を注入する装置である。水注入装置３６０は、例えば、ポンプ、高圧ポンプ、背圧ポンプなどである。
【００２７】
シリンダー３１０，３２０には、水注入装置３６０から水を注入し、注入した水を排出する注入／排出口が設けられている。また、シリンダー３１０，３２０には、前処理装置４０からスラリー体を受け入れ、受け入れたスラリー体を反応器６０に供給する受入／供給口が設けられている。
【００２８】
シリンダー３１０，３２０内には、水注入装置３６０から注入された水と、前処理装置４０から受け入れたスラリー体とを仕切るようにピストン３３１，３３２が配置されている。
【００２９】
軸３３０の両端にはピストン３３１，３３２が備えられている。ピストン３３１，３３２は、水注入装置３６０からシリンダー３１０，３２０内に水が注入されることによりシリンダー３１０，３２０内を移動し、シリンダー３１０，３２０内のスラリー体を押圧して反応器６０にスラリー体を供給する。また、一方のピストン３３１，３３２の移動に伴い、他方のピストン３３２，３３１が一方のピストン３３１，３３２と同軸方向に移動し、前処理装置４０からスラリー体を受け入れるとともに、シリンダー３２０，３１０内の水を排出する。
【００３０】
なお、シリンダー３１０，３２０内の水とスラリー体が混ざらないようにするために、ピストン３３１，３３２にピストンリングを設け、ピストン３３１，３３２とシリンダー３１０，３２０との気密性を高めることとしてもよい。
【００３１】
本実施の形態においては、軸３３０の中央部にストッパー３３３が設けられている。ストッパー３３３は、ピストン３３１，３３２と攪拌機３４０，３５０との接触を防止する装置であり、ストッパー３３３がシリンダー３１０，３２０に接触すると、ピストン３３１，３３２が攪拌機３４０，３５０の方へ移動できなくなるような仕組みとなっている。
【００３２】
バルブ３６１，３６２，３６３，３６４は、水を水注入装置３６０からシリンダー３１０，３２０に流れるように切り替えたり、シリンダー３１０，３２０内の水を排出するように切り替えたりする装置である。バルブ３６１，３６２，３６３，３６４は、例えば、電磁バルブなどである。
【００３３】
本実施の形態においては、バルブ３６１，３６２，３６３，３６４は、水注入装置３６０の注水により、水がシリンダー３１０，３２０に流れるように切り替える。また、バルブ３６１，３６２，３６３，３６４は、シリンダー３１０，３２０からの排水により、水が排出されるように切り替える。このような切り替えは、例えば、水注入装置３６０からの注水やシリンダー３１０，３２０からの排水に伴い、電気的に行うことができる。具体的には、軸３３０に設けられたストッパー３３３が一方のシリンダー３１０，３２０に接触したのを検知すると、水注入装置３６０は当該シリンダー３１０，３２０から他方のシリンダー３２０，３１０に水の注入を切り替え、バルブ３６３，３６１は水が水注入装置３６０からシリンダー３２０，３１０に流れるように切り替え、バルブ３６４，３６２は水注入装置３６０からシリンダー３２０，３１０に注入される水が排出されないように切り替え、バルブ３６２，３６４はシリンダー３１０，３２０から水が排出されるように切り替え、バルブ３６１，３６３はシリンダー３１０，３２０から排出される水が水注入装置３６０に流れないように切り替える制御を行えばよい。
【００３４】
なお、本実施の形態においては、スラリー供給装置５０にバルブ３６１，３６２，３６３，３６４を設けることとしているが、これらのバルブ３６１，３６２，３６３，３６４の代わりに２つの三方弁を設けて、水注入装置３６０の注水により水がシリンダー３１０，３２０に流れるように切り替えたり、シリンダー３２０，３１０からの排水により水が排出されるように切り替えたりしてもよい。このような切り替えは、例えば、逆流を防止する弁などによって機械的に行うこともできるが、水注入装置３６０からの注水やシリンダー３１０，３２０からの排水に伴い、電気的に行うこともできる。具体的には、軸３３０に設けられたストッパー３３３が一方のシリンダー３１０，３２０に接触したのを検知すると、水注入装置３６０は当該シリンダー３１０，３２０から他方のシリンダー３２０，３１０に水の注入を切り替え、一方の三方弁は水が水注入装置３６０からシリンダー３２０，３１０に流れるように切り替え、他方の三方弁はシリンダー３１０，３２０から水が排出されるように切り替える制御を行えばよい。
【００３５】
三方弁３７１，３７２は、ピストン３３１，３３２の往復運動により、スラリー体を前処理装置４０からシリンダー３１０，３２０に流れるように切り替えたり、スラリー体をシリンダー３１０，３２０から反応器６０に流れるように切り替えたりする装置である。
【００３６】
本実施の形態においては、三方弁３７１，３７２は、前処理装置４０からスラリー体を受け入れる際に、スラリー体が前処理装置４０からシリンダー３１０，３２０に流れるように切り替える。また、三方弁３７１，３７２は、シリンダー３１０，３２０からのスラリー体供給により、スラリー体がシリンダー３１０，３２０から反応器６０に流れるように切り替える。このような切り替えは、例えば、逆流を防止する弁などによって機械的に行うこともできるが、シリンダー３１０，３２０からのスラリー体供給や前処理装置４０からのスラリー体供給に伴い、電気的に行うこともできる。具体的には、軸３３０に設けられたストッパー３３３が一方のシリンダー３１０，３２０に接触したのを検知すると、三方弁３７１，３７２は、当該シリンダー３１０，３２０にスラリー体が前処理装置４０から流れるように切り替え、三方弁３７２，３７１は、他方のシリンダー３２０，３１０からスラリー体が反応器６０に流れるように切り替える制御を行えばよい。なお、上述のストッパー３３３とシリンダー３１０，３２０との接触の検知は、例えば、ストッパー３３３とシリンダー３１０，３２０とが接触する領域の一部にスイッチを設け、当該スイッチが押圧されたことにより行うことができる。
【００３７】
バルブ３７３，３７４は、一方のシリンダー３１０，３２０から他方のシリンダー３２０，３１０に切り替えてスラリー体を反応器６０に供給する際、すなわち、水注入装置３６０が水を注入するシリンダー３１０，３２０を、一方のシリンダー３１０，３２０から他方のシリンダー３２０，３１０に切り替える際に、シリンダー３１０，３２０から反応器６０へのスラリー体の流れ（供給）を一時的に遮断する装置である。バルブ３７５，３７６は、水注入装置３６０が水を注入するシリンダー３１０，３２０を、一方のシリンダー３１０，３２０から他方のシリンダー３２０，３１０に切り替える際に、前処理装置４０からシリンダー３１０，３２０へのスラリー体の流れ（受入）を一時的に遮断する装置である。バルブ３７３，３７４，３７５，３７６は、例えば、電磁バルブなどである。
【００３８】
なお、上述のような遮断は、例えば、水注入装置３６０からの注水やシリンダー３１０，３２０からの排水に伴い、電気的に行うことができる。具体的には、軸３３０に設けられたストッパー３３３が一方のシリンダー３１０，３２０に接触したのを検知すると、バルブ３７３，３７４はシリンダー３１０，３２０から反応器６０へのスラリー体の流れ（供給）を遮断し、バルブ３７５，３７６は前処理装置４０からシリンダー３１０，３２０へのスラリー体の流れ（受入）を遮断し、水注入装置３６０が当該シリンダー３１０，３２０から他方のシリンダー３２０，３１０に水の注入を切り替えた後に、バルブ３７３，３７４のうち１のバルブ３７４，３７３が三方弁３７２，３７１を介してスラリー体をシリンダー３２０，３１０から反応器６０に流れるように開放し、バルブ３７５，３７６のうち１のバルブ３７５，３７６がスラリー体を前処理装置４０からシリンダー３１０，３２０に流れるように開放する制御を行えばよい。
【００３９】
攪拌機３４０，３５０は、三方弁３７１，３７２を介して前処理装置４０からシリンダー３１０，３２０内に受け入れるスラリー体を攪拌する装置である。このように、シリンダー３１０，３２０内に攪拌機３４０，３５０を備えてスラリー体を攪拌することにより、スラリー体に含まれる非金属系触媒やバイオマスの粒子などの固形物の沈殿を防止することができるようになる。
【００４０】
本実施の形態においては、スラリー供給装置５０と反応器６０との間に、スラリー供給装置５０から供給されるスラリー体を蓄圧する蓄圧器３８０と、前処理装置４０とスラリー供給装置５０との間に、スラリー供給装置５０に受け入れられるスラリー体を蓄圧する蓄圧器３８１と、を備えることとしている。これらを備えることにより、スラリー供給装置５０と反応器６０とを接続する配管内の圧力や、前処理装置４０とスラリー供給装置５０とを接続する配管内の圧力を一定に保つことができ、脈動やウォーターハンマー（水撃）などの発生を防止することが可能となる。
【００４１】
なお、上述の水注入装置３６０が水を注入するシリンダー３１０，３２０の切り替えは、軸３３０に設けたストッパー３３３がシリンダー３１０，３２０に接触したタイミングで電気的に行うこととしてもよいし、各シリンダー３１０，３２０内の圧力が上昇したのを検知して行うこととしてもよい。また、水注入装置３６０がシリンダー３１０，３２０に注入する水は、シリンダー３１０，３２０に受け入れられるスラリー体の温度と同じ温度の水であることが好ましい。これにより、シリンダー３１０，３２０に受け入れられたスラリー体の温度低下を抑制することができるようになる。なお、水注入装置３６０によるシリンダー３１０，３２０への注水は、反応器６０にスラリー体を一定流量で供給することができるように一定流量で行うことが好ましい。
【００４２】
また、上述においては、スラリー供給装置５０の軸３３０にストッパー３３３を設けてピストン３３１，３３２と攪拌機３４０，３５０との接触を防止することとしているが、シリンダー３１０，３２０の長手方向の長さと軸３３０との長さとを調節してピストン３３１，３３２と攪拌機３４０，３５０との接触を防止することとしてもよいし、ピストン３３１，３３２と攪拌機３４０，３５０とが接触しない量の水を、水注入装置３６０がシリンダー３１０，３２０に注入するようにしてピストン３３１，３３２と攪拌機３４０，３５０との接触を防止することとしてもよい。また、ピストン３３１，３３２と攪拌機３４０，３５０とが接触しないように、シリンダー３１０，３２０内にストッパーを設けることとしてもよい。
【００４３】
さらに、上述においては、水注入装置３６０から水を注入し、注入した水を排出する注入／排出口をシリンダー３１０，３２０に設けることとしているが、水注入装置３６０から水を注入する注入口と、注入した水を排出する排出口とをシリンダー３１０，３２０にそれぞれ設けることとしてもよい。
【００４４】
また、上述においては、前処理装置４０からスラリー体を受け入れ、受け入れたスラリー体を反応器６０に供給する受入／供給口をシリンダー３１０，３２０に設けることとしているが、前処理装置４０からスラリー体を受け入れる受入口と、受け入れたスラリー体を反応器６０に供給する供給口とをシリンダー３１０，３２０にそれぞれ設けることとしてもよい。
【００４５】
クーラー７０は、反応器６０から排出される排出物を冷却する装置である。反応器６０から排出される排出物には、爆発性の燃料ガス（例えば、水素、メタン、エタン、エチレンなど）や水蒸気（超臨界水）等が含まれているので、危険性を低減させたり、水蒸気を水に変換させたりする目的でクーラー７０を本発明のシステム１００に設けることとしている。なお、本実施の形態においては、反応器６０から排出された排出物を冷却する装置としてクーラー７０を例に挙げて説明したが、反応器６０から排出された排出物を冷却することができる装置であればどのような装置を用いることとしてもよい。
【００４６】
減圧器７１は、反応器６０から排出される排出物中の生成ガスなどの圧力を減圧する装置である。これにより、生成ガスの高圧による危険性を未然に防止することができるようになる。
【００４７】
気液分離器８０は、反応器６０から排出された排出物を気体成分（生成ガス）と液体成分（水、あるいは、水、灰分、非金属系触媒などを含む混合液）とに分離する装置である。気液分離器８０は、例えば、セパレーター等の既存の気液分離器を用いることができる。
【００４８】
ガスタンク８１は、気液分離器８０によって分離された気体成分（生成ガス）を貯える容器（好ましくは耐圧容器）である。バーナー９０は、ガスタンク８１に貯えられた生成ガス（燃料ガス）の一部を利用して反応器６０を加熱する装置である。なお、本実施の形態においては、反応器６０を加熱する装置としてバーナー９０を例に挙げて説明したが、反応器６０を加熱することができる装置であればどのような装置を用いることとしてもよい。
【００４９】
固液分離器８２は、気液分離器８０によって分離された液体成分に、水以外の灰分や非金属系触媒などが含まれている場合に、灰分や非金属系触媒などの固形分と水とを分離する装置である。固液分離器８２は、例えば、既存の固液分離装置であってもよいし、混合液中の灰分、非金属系触媒、及び水をそれぞれ分離する装置であってもよい。図４に、本発明の一実施形態として説明する、混合液中の灰分、非金属系触媒、及び水をそれぞれ分離する固液分離器８２の概略構成図を示す。なお、本実施の形態においては、非金属系触媒が、灰より沈降速度（終端速度）が遅い活性炭である場合について説明する。
【００５０】
図４に示すように、固液分離器８２は、混合液注入部４１０、水槽４２０、循環ポンプ４３０、供給管４４０、灰受入部４５０、バルブ４６０，４６１，４７０などを備える。
【００５１】
混合液注入部４１０は、気液分離器８０から灰分、活性炭、及び水を含む混合液を注入する管である。水槽４２０は、混合液注入部４１０から注入した混合液中の灰分や活性炭をゆっくりと沈降させるための水を入れておく容器である。水槽４２０は、混合液注入部４１０から注入した混合液中の灰分を沈降させて水槽４２０から排出させる排出口４２１、混合液中の活性炭を受け入れる活性炭受部４２２，４２３、水槽４２０において浮遊した灰や活性炭などの浮遊物を水とともに排出する排水口４２４などを備える。
【００５２】
灰受入部４５０は、排出口４２１から沈降した灰分を受け入れ容器である。循環ポンプ４３０は、水槽４２０中の水を循環させるポンプである。供給管４４０は、循環ポンプ４３０によって循環される水を排出口４２１を介して水槽４２０に導入する配管である。なお、循環ポンプ４３０によって循環される水は、活性炭の沈降速度より速く、灰の沈降速度より遅い流速で排出口４２１から水槽４２０に供給される。これにより、混合液注入部４１０から注入された混合液中の灰分は、排出口４２１を通って灰受入部４５０に沈降するが、混合液注入部４１０から注入された混合液中の活性炭は、排出口４２１を通過することなく活性炭受部４２２，４２３に移動する。
【００５３】
なお、本実施の形態においては、活性炭受部４２２，４２３には、当該受部４２２，４２３に溜まった活性炭を回収できるように、活性炭の粒子より細かいメッシュで構成された籠４２５，４２６が設けられており、灰受入部４５０には、当該受入部４５０に溜まった灰を回収できるように、灰の粒子より細かいメッシュで構成された籠４５１が設けられている。
【００５４】
バルブ４６０，４６１は、水槽４２０の水を排出する弁である。気液分離器８０から注入された混合液中の灰分と活性炭とを分離した後に、当該バルブ４６０，４６１によって水槽４２０の水を排水することにより、籠４２５，４２６に溜まった活性炭を回収することができる。また、バルブ４７０は、灰受入部４５０の水を排水する弁である。気液分離器８０から注入された混合液中の灰分と活性炭とを分離した後に、当該バルブ４７０によって灰受入部４５０の水を排水することにより、籠４５１に溜まった灰を回収することができる。
【００５５】
以上のような固液分離器８２を本発明のシステム１００に備えることにより、混合液を固体成分と液体成分とに分離するだけでなく、固体成分である灰分と非金属系触媒とを分離することができ、非金属系触媒を回収することが可能となる。これにより、回収した非金属系触媒を再利用できる。
【００５６】
なお、本発明に係るシステム１００に、気液分離器８０によって分離された、灰分、非金属系触媒、及び水を含む混合液を固体成分と液体成分とに分離する固液分離器８２を備える場合には、分離した固体成分中の灰分と非金属系触媒とを分離する装置（例えば、篩分け装置など）を本発明に係るシステム１００にさらに備えることとしてもよい。これにより、各反応に利用した非金属系触媒を回収して再利用することが可能となる。
【００５７】
第一熱交換器３０は、前処理装置４０において熱水処理することにより得られた、非金属系触媒を含むバイオマスのスラリー体の熱を利用して、モーノポンプ２０から前処理装置４０に供給されるバイオマス等を予熱する装置である。
【００５８】
第二熱交換器３１は、反応器６０において水熱処理することにより生成された生成ガスなどを含む、反応器６０から排出される排出物の熱を利用して、スラリー供給装置５０から反応器６０に供給される、非金属系触媒を含むバイオマスのスラリー体を予熱する装置である。
【００５９】
これらのように、本発明のシステム１００に熱交換器３０，３１を設けることにより、エネルギーを有効に利用することができるので、低エネルギー・低コストでバイオマスから燃料ガスを生成することができるようになる。また、各装置４０，６０での加熱時間が短縮されるのでバイオマスから燃料ガスの生成を効率的に行うことができるようになる。従って、熱交換器３０，３１を備えたシステム１００は、経済性に優れているといえる。
【００６０】
なお、本実施の形態においては、反応器６０から排出される排出物の熱を利用して上記スラリー体を予熱する第二熱交換器３１を本発明のシステム１００に備えることとしているが、反応器６０から排出される排出物の熱を利用して、モーノポンプ２０から前処理装置４０に供給されるバイオマス等を予熱する熱交換器を本発明のシステム１００に備えることとしてもよい。
【００６１】
以上のように、本発明に係るシステム１００に上述のようなスラリー供給装置５０を備えることにより、固体成分と液体成分とに分離しやすい上述のスラリー体を一定濃度で反応器６０に連続供給することができるので、超臨界水のガス化効率が最も高い濃度で非金属系触媒やバイオマスなどが含まれるスラリー体を反応器６０に連続供給し、バイオマスから燃料ガスをより効率的に生成することが可能となる。
【００６２】
また、本発明に係るシステム１００にあらかじめバイオマスを熱水処理する前処理装置４０を備えることにより、バイオマスを高分子から低分子に分解することができるので、反応器６０において処理されるバイオマスと水や非金属系触媒との接触効率を高め、チャーやタールの発生を防止するとともにバイオマスから燃料ガスを効率よく生成することができるようになる。
【００６３】
さらに、前処理装置４０においてバイオマスを熱水処理することにより流動性に優れたバイオマスのスラリー体を形成させることができるので、反応器６０への供給においてバイオマスによる機器や配管等の目詰まりを防止することが可能となる。
【００６４】
また、本発明に係るシステム１００により、前処理装置４０での熱水処理において用いた非金属系触媒を、反応器６０での水熱反応においても利用することができるので、触媒の消費を削減することが可能となる。
【００６５】
さらに、本発明に係るシステム１００に図２に示すような反応器６０を備えることにより、バイオマスを超臨界水によってガス化することにより得られる灰分（残渣）が反応器６０内に溜まることがなくなり、バイオマスの超臨界水によるガス化処理を連続的に行うことができ、バイオマスから燃料ガスをより効率的に生成することが可能となる。
【００６６】
また、本発明に係るシステム１００に、クーラー７０、減圧器７１、気液分離器８０などを備えることにより、反応器６０から排出される排出物から燃料ガスを含む生成ガスを安全に回収することができるようになる。
【００６７】
さらに、本発明に係るシステム１００にバイオマスを破砕する装置（破砕ポンプ１０）を備えることによりバイオマスをあらかじめ破砕することができるので、バイオマスのスラリー化やガス化の効率を高めることができるようになる。
【００６８】
また、本発明に係るシステム１００により得られた燃料ガスを用いて、ガスエンジンによる発電を行うことで電力と排熱を得ることができるので、石炭、石油等の化石燃料の省資源化を図ることが可能になる。
【００６９】
なお、本実施の形態においては、非金属系触媒とバイオマスとを最初から混合した混合物を破砕ポンプ１０によって処理し、モーノポンプ２０により前処理装置４０に供給することとしているが、非金属系触媒はバイオマスとは別に前処理装置４０に供給することとしてもよいが、破砕ポンプ１０で処理した後から前処理装置４０で処理する前の間において、バイオマスと混合して前処理装置４０に供給することとしてもよい。
【００７０】
また、本実施の形態においては、前処理装置４０において熱水処理された、非金属系触媒を含むバイオマスのスラリー体を、スラリー供給装置５０を用いて反応器６０に直接供給することとしているが、反応器６０に供給する前に前記スラリー体を加熱装置（例えば、ヒーター等）によって予熱することとしてもよい。
【００７１】
＝＝超臨界水によるバイオマスガス化方法＝＝
次に、本実施の一形態として、バイオマスから燃料ガスを生成する方法について説明する。なお、本実施の形態においては、図２に示すような連続運転が可能な反応器６０を備えたシステム１００を用いた方法について説明する。
【００７２】
まず、バイオマスと非金属系触媒とを混合した混合物中のバイオマスは、破砕ポンプ１０により破砕されながら、非金属系触媒とともにモーノポンプ２０に移送される。破砕ポンプ１０により破砕されたバイオマスと非金属系触媒との混合物は、モーノポンプ２０に移送される際に、水タンク１１から供給される水と混合し、バイオマスの超臨界水によるガス化の効率を高めることができる所定の含水率（好ましくは７０〜９５ｗｔ％）に調製される。
【００７３】
所定の含水率に調製された、非金属系触媒、バイオマス、及び水を含む混合液は、モーノポンプ２０により第一熱交換器３０を通って前処理装置４０に移送される。前処理装置４０に供給されたバイオマスは、バイオマスとともに供給された非金属系触媒の存在下で、所定の圧力及び所定の温度の条件下で熱水処理される。
【００７４】
なお、熱水処理の条件としては、１００〜２５０℃の範囲内の温度であって、０．１〜４ＭＰａの範囲内の圧力下であれば特に制限されるものではないが、バイオマスを高分子から低分子へと分解する処理の効率の観点から、これらの範囲内の圧力下における水の飽和温度であることが好ましく、さらに省エネルギーの観点から、１７９．８℃の温度及び１．０ＭＰａの圧力下であることが特に好ましい。ここで、熱水処理を１００℃〜２５０℃の範囲内の温度で行うこととしたのは、１００℃未満ではバイオマスの分解反応率が低く、２５０℃を超えるとタールやチャーの発生が懸念されるからである。また、熱水処理を０．１〜４ＭＰａの範囲内の圧力で行うこととしたのは、０．１ＭＰａ未満ではバイオマスの分解反応率が低く、４ＭＰａより高い圧力をかけても分解反応率に与える影響はそれ程ないのではないかと考えたためである。
【００７５】
このようにバイオマスを非金属系触媒の存在下で熱水処理することにより、バイオマスを高分子から低分子に効率よく分解することができるようになる。
【００７６】
上述のようにして得られた、非金属系触媒を含むバイオマスのスラリー体は、第一熱交換器３０でモーノポンプ２０から前処理装置４０に供給される混合液に熱を提供し、スラリー供給装置５０に受け入れられる。スラリー供給装置５０に受け入れられた、非金属系触媒を含むバイオマスのスラリー体は、スラリー供給装置５０により第二熱交換器３１を通って反応器６０に供給される。
【００７７】
反応器６０に供給されたバイオマスのスラリー体は、反応器６０に導入され、バイオマスとともに供給された非金属系触媒の存在下で、所定の圧力及び所定の温度の条件下で水熱処理される。水熱処理の条件としては、３７４℃以上の温度で、かつ、２２．１ＭＰａ以上の圧力下であれば特に制限されるものではないが、タールやチャーの発生を抑制するとともに反応効率を高めることができる温度（６００℃）及び圧力（２５〜３５ＭＰａの範囲内）下で行うことが好ましく、機器の負担や劣化防止、さらには省エネルギーの観点から、６００℃，２５ＭＰａで行うことが特に好ましい。なお、バイオマスから変換された燃料ガス中の成分の比を制御したい場合には、これらの温度及び圧力の条件を調節するとともに、流体密度や反応時間（反応器６０内でのバイオマスの滞留時間）を制御することにより可能となる。
【００７８】
このようにバイオマスのスラリー体を超臨界水で反応させることにより、バイオマスのスラリー体から燃焼ガスを生成することが可能になる。また、バイオマスを予め高分子から低分子化させることにより、水や非金属系触媒との接触効率を高めることができ、さらには、バイオマスのガス化反応時間を短縮させることができるので、バイオマスのスラリー体から水素ガス、メタン、エタン、エチレン等の燃料ガスをより効率的に生成することができるようになる。
【００７９】
反応器６０内でバイオマスのスラリー体を水熱処理することにより生成された生成ガスなどは、反応器６０から排出される。この排出物は、第二熱交換器３１において、スラリー供給装置５０から反応器６０に供給される、非金属系触媒を含むバイオマスのスラリー体に熱を提供し、クーラー７０及び減圧器７１によって冷却・減圧され、気液分離器８０に供給される。気液分離器８０に供給された上記排出物は、燃料ガスを含む生成ガス（気体成分）と、水、あるいは、水、灰分、非金属系触媒等を含む混合液（液体成分）とに分離され、生成ガスはガスタンク８１に貯えられる。なお、気液分離器８０によって分離された液体成分に、水以外の灰分や非金属系触媒などが含まれ、非金属系触媒を回収したい場合には、混合液を固液分離器８２によって灰分、非金属系触媒、及び水にそれぞれ分離する。
【００８０】
なお、本実施の形態において用いられる非金属系触媒としては、例えば、活性炭、ゼオライトなどを挙げることができる。このように、アルカリ金属系触媒ではなく、非金属系触媒を用いることにより、アルカリ金属系触媒が引き起こす機器や配管等の腐食による劣化を防止することができ、システム１００の長期使用が実現可能となる。また、アルカリ金属系触媒を中和する処理工程も不要となり、作業性の効率を高めることができるようになる。上記非金属系触媒としては、平均粒径２００μｍ以下の粉末を用いることが好ましく、多孔質であることがより好ましい。このような非金属系触媒を用いることにより、表面積を増やして反応効率を高めるとともに、非金属系触媒によるシステム１００内の機器、配管等の目詰まりを防止することができる。なお、本実施の形態において用いられる非金属系触媒は、乾燥状態のバイオマスとの質量比（非金属系触媒：バイオマス）で１：５〜２０：１の範囲内であることが好ましく、バイオマスのガス化効率が高い１：２〜２０：１の範囲内であることが特に好ましい。
【００８１】
また、本実施の形態において処理されるバイオマスが砂等の異物を含む排水汚泥や糞尿等である場合には、前処理装置４０においてバイオマスを熱水処理する前後に、公知の分離技術（例えば、ストレイナーを用いた分離法、沈殿層を用いた分離法）によってバイオマスに含まれる砂等の異物を取り除くこととしてもよい。これにより、砂等の異物によって生じるトラブルを防止することができるようになる。
【実施例】
【００８２】
以下に本発明を実施例によって具体的に説明する。なお、これらの実施例は本発明を説明するためのものであって、本発明の範囲を限定するものではない。
【００８３】
［実施例１］
含水率９０％のジャガイモペースト１００質量部に、粒径１００μｍの活性炭を３０質量部、又は６０質量部加えて撹拌混合し、高圧ポンプにより流動層反応器に圧入し、５００℃，２５ＭＰａの条件下で１時間、超臨界水による反応を行った。また、対照実験として、活性炭を添加しないで同様に超臨界水によるガス化反応を行った。その結果、活性炭を添加しない場合には、二酸化炭素に換算してガス化率が２０％以下であるのに対し、活性炭を３０質量部添加した場合には、ガス化率が３０％と上昇することが明らかになった。また、活性炭を６０質量部と増量させた場合には、ガス化率が６０％とさらに上昇することが明らかになった。
【００８４】
［実施例２］
次に、水８０質量部、セルロース粉末２０質量部、及び平均粒径１００μｍの活性炭２０質量部を撹拌混合してスラリーを調製した。その後、攪拌機を備えた１６７ｍｌのオートクレーブにスラリー４０ｍｌを注入し、圧力２５ＭＰａで撹拌しながら４００℃まで温度上昇させて１時間保持して超臨界水によるガス化反応を行った。反応後、室温まで冷却し、生成ガスを回収して炭素ガス化率を求めた。また、対照実験として、活性炭を添加せずに同様の処理を行った。その結果、活性炭を添加しない場合には炭素ガス化率が１０％であるのに対し、活性炭を添加した場合には炭素ガス化率が３０％と上昇することが明らかになった。
【００８５】
以上のことから、非金属系触媒の添加によりガス化効率を高めるとともに、増量添加によってさらにガス化効率を高めることができることが明らかになった。また、活性炭を含むバイオマスのスラリー体を流動層反応器に供給しても、スラリー体に含まれる活性炭が触媒として作用し、バイオマスのガス化を効率よく行うことができることが示された。
【００８６】
［実施例３］
図２に示すように、導入口２１０及び排出口２２０を設けた流動層反応器６０（φ１２．３mm×２４００mm）の下方に分散板（網）を備え、平均粒径が１ｍｍのアルミナボールを流動媒体として設置した。この流動層反応器６０に、バイオマス（灰）や非金属系触媒の代わりにアルミナ粒子（平均粒径が１８０〜２５０μｍ、あるいは、平均粒径が２５０〜３００μｍ）を水に混合した混合液を、アルミナ粒子が飛び出し、流動媒体であるアルミナボールが飛び出さない流量（０．１９m/s〜０．６０m/s）で導入口２１０から導入し、排出口２２０から排出されたアルミナ粒子を回収した。
【００８７】
その結果、平均粒径が１８０〜２５０μｍのアルミナ粒子を流動層反応器６０に導入した場合には９７．５％のアルミナ粒子を回収することができ、平均粒径が２５０〜３００μｍのアルミナ粒子を流動層反応器６０に導入した場合には９８．９％のアルミナ粒子を回収することができることがわかった。このことから、上述のような流動層反応器６０に、非金属系触媒を含むバイオマスのスラリー体（平均粒径が３００μｍ以下）を所定の流量（例えば、流動媒体が排出口から飛び出さない最大流量）で導入口２１０から導入しながら、所定の温度及び所定の圧力下で水熱反応を行うことにより、生成された生成ガスや灰分、並びに、非金属系触媒や水（超臨界水）を排出口２２０から排出できることが示された。
【図面の簡単な説明】
【００８８】
【図１】本発明の一実施形態として説明する超臨界水によるバイオマスガス化システムの概略構成を示す図である。
【図２】本発明の一実施形態として説明する反応器の概略構成を示す図である。
【図３】本発明の一実施形態として説明するスラリー供給装置の概略構成を示す図である。
【図４】本発明の一実施形態として説明する固液分離器の概略構成を示す図である。
【符号の説明】
【００８９】
１０  破砕ポンプ                    １１  水タンク
２０  モーノポンプ                  ３０  第一熱交換器
３１  第二熱交換器                  ４０  前処理装置
５０  スラリー供給装置              ６０  反応器
７０  クーラー                      ７１  減圧器
８０  気液分離器                    ８１  ガスタンク
８２  固液分離器                    ９０  バーナー
１００  超臨界水によるバイオマスガス化システム
【図１】
0004719864.tif 000002
【図２】
0004719864.tif 000003
【図３】
0004719864.tif 000004
【図４】
0004719864.tif 000005